(57)【特許請求の範囲】
【請求項１】
撮像装置におけるマニュアルフォーカシング方法において、
焦点を手動にするためのマニュアルフォーカシングモードが選択されたか否かを確認するステップと、
前記マニュアルフォーカシングモードが選択されない場合、前記撮像装置により撮像されたイメージの所定サイズ部分と同一サイズの縮小イメージを生成し、前記縮小イメージを前記撮像装置が備える表示部にディスプレーするステップと、
前記マニュアルフォーカシングモードが選択された場合、前記撮像されたイメージから前記表示部のディスプレーサイズに対応する所定サイズ部分のイメージであるウィンドウをキャプチャーし、前記キャプチャーイメージを出力するステップと、
前記マニュアルフォーカシングモードが選択された場合、前記出力されたキャプチャーイメージを前記縮小イメージと切り替えて前記表示部にディスプレーするステップとを含み、
前記マニュアルフォーカシングモードが選択されてから所定時間が経過すると、前記撮像されたイメージをウィンドウキャプチャーせず、前記撮像されたイメージに対する前記所定サイズ部分と同一サイズの縮小イメージを生成および出力してディスプレーするステップを含むことを特徴とする撮像装置におけるマニュアルフォーカシング方法。
【請求項２】
前記マニュアルフォーカシングモードの選択は、前記撮影装置上のマニュアルフォーカスボタンの動作およびマニュアルフォーカスリングの動作のいずれかによって行われることを特徴とする請求項１に記載の撮像装置におけるマニュアルフォーカシング方法。
【請求項３】
前記キャプチャーイメージの前記撮像されたイメージ上での位置は任意に設定可能であることを特徴とする請求項１に記載の撮像装置におけるマニュアルフォーカシング方法。
【請求項４】
前記ディスプレーはビューファインダーおよびＬＣＤモニタのうちいずれかで行われることを特徴とする請求項１に記載の撮像装置におけるマニュアルフォーカシング方法。
【請求項５】
前記マニュアルフォーカシングモードが再選択される場合、前記撮像されたイメージをウィンドウキャプチャーして出力するステップを更に含むことを特徴とする請求項１に記載の撮像装置におけるマニュアルフォーカシング方法。
【請求項６】
撮像装置におけるマニュアルフォーカシング装置において、
焦点を手動にするためのマニュアルフォーカシングモードが選択されたか否かを確認する制御部と、
前記マニュアルフォーカシングモードが選択されない場合、前記撮像装置により撮像されたイメージの所定サイズ部分と同一サイズの縮小イメージを生成および出力するフォーマット変換部と、
前記縮小イメージをディスプレーする表示部と、
前記マニュアルフォーカシングモードが選択された場合、前記撮像されたイメージの所定サイズ部分のイメージであるウィンドウをキャプチャーし、前記キャプチャーイメージを出力するウィンドウキャプチャー部とを含み、
前記表示部は、
前記マニュアルフォーカシングモードが選択された場合、
前記出力されたキャプチャーイメージを前記縮小イメージと切り替えてディスプレーし、
前記所定サイズ部分は、前記表示部のディスプレーサイズに対応し、
前記マニュアルフォーカシングモードが選択されてから所定時間が経過すると、前記撮像されたイメージに対する前記所定サイズ部分と同一サイズの縮小イメージを生成および出力することを特徴とする撮像装置におけるマニュアルフォーカシング装置。
【請求項７】
前記マニュアルフォーカシングモードの選択は、前記撮影装置上のマニュアルフォーカスボタンの動作およびマニュアルフォーカスリングの動作のいずれかによって行われることを特徴とする請求項６に記載の撮像装置におけるマニュアルフォーカシング装置。
【請求項８】
前記キャプチャーイメージの前記撮像されたイメージ上での位置は任意に設定可能であることを特徴とする請求項６に記載の撮像装置におけるマニュアルフォーカシング装置。
【請求項９】
前記表示部はビューファインダーおよびＬＣＤモニタのうちいずれかであることを特徴とする請求項６に記載の撮像装置におけるマニュアルフォーカシング装置。
【請求項１０】
前記ウィンドウキャプチャー部は、前記マニュアルフォーカシングモードが再選択される場合、前記撮像されたイメージをウィンドウキャプチャーして出力することを特徴とする請求項６に記載の撮像装置におけるマニュアルフォーカシング装置。
【請求項１１】
被写体のイメージを撮像し、焦点を当てて前期被写体の願望するイメージを保存する撮影装置であって、
前記焦点を手動にするためのマニュアルフォーカシングモードが選択されたか否かを確認する制御部と、
前記マニュアルフォーカシングモードが選択されない場合、前記撮像されたイメージに対する所定サイズ部分と同一サイズの縮小イメージを生成および出力するフォーマット変換部と、
前記縮小イメージをディスプレーする表示部と、
前記マニュアルフォーカシングモードが選択された場合、前記撮像されたイメージの所定サイズ部分のイメージであるウィンドウをキャプチャーし、前記キャプチャーイメージを出力するウィンドウキャプチャー部とを含み、
前記表示部は、
前記マニュアルフォーカシングモードが選択された場合、
前記出力されたキャプチャーイメージを前記縮小イメージと切り替えてディスプレーし、
前記所定サイズ部分は、前記表示部のディスプレーサイズに対応し、
前記フォーマット変換部は、前記マニュアルフォーカシングモードが選択されてから所定時間が経過すると、前記撮像されたイメージに対する前記所定サイズ部分と同一サイズの縮小イメージを生成及び出力することを特徴とする撮影装置。
【請求項１２】
前記マニュアルフォーカシングモードの選択は、前記撮影装置上のマニュアルフォーカスボタンの動作およびマニュアルフォーカスリングの動作のいずれかによって行われることを特徴とする請求項１１に記載の撮影装置。
【請求項１３】
前記キャプチャーイメージの前記撮像されたイメージ上での位置は任意に設定可能であることを特徴とする請求項１１に記載の撮影装置。
【請求項１４】
前記表示部はビューファインダーおよびＬＣＤモニタのうちいずれかであることを特徴とする請求項１１に記載の撮影装置。
【請求項１５】
前記ウィンドウキャプチャー部は、前記マニュアルフォーカシングモードが再選択される場合、前記撮像されたイメージをウィンドウキャプチャーして出力することを特徴とする請求項１１に記載の撮影装置。
【発明の詳細な説明】
【技術分野】
【０００１】
本発明は、撮影装置における撮影装置におけるマニュアルフォーカシング方法、マニュアルフォーカシング装置、および撮影装置に関し、詳細には撮像されたイメージのウィンドウキャプチャーによるマニュアルフォーカシング方法、マニュアルフォーカシング装置、および撮影装置に関する。
【背景技術】
【０００２】
被写体を撮像し、撮像されたイメージを保存する撮影装置において、撮像が求められる被写体の希望のイメージを獲得するために焦点をあてる動作が必要である。これをフォーカシング作業といい、係るフォーカシング作業は撮影装置にて自動的に行なわれる場合があるが、このようにユーザが関与することなく自動的にフォーカシングされる場合には、ユーザの願望する被写体に対する正確なフォーカシングが行われない恐れがある。
【０００３】
従って、ほとんどの撮影装置では自動フォーカシングモード機能と共に手動フォーカシングモード機能を備えており、マニュアルフォーカシングモードは撮影装置上に備えられたマニュアルフォーカスボタンの動作や、撮影装置上に備えられたマニュアルフォーカスリングを回転させる動作などによって行われる。
【０００４】
また、撮影装置上には、現に撮像されている被写体のイメージをユーザが直接確認できるよう表示部が備えられているが、通常、表示部はＳＤ  ＬＣＤモニタ（スタンダードデフィニション）あるいは、ＳＤビューファインダーからなる。
【０００５】
ユーザが撮像されているイメージを確認するために必要とされる表示部にディスプレーされるイメージは高い解像度を要求しないことから、通常、撮像された高解像度のイメージを標準解像度に変換させてそのイメージをディスプレーする。
【０００６】
しかし、前述したマニュアルフォーカシングモードを介して、ユーザが直接被写体の焦点をあてる場合、ユーザは表示部にディスプレーされた、現在撮像されているイメージを確認し、この時に希望の被写体に対する正確な焦点を当てるためには表示部にディスプレーされたイメージの鮮明度が保障されなければならない。
【０００７】
しかしながら、前述した標準解像度の方に変換されたイメージは、変換過程における一部信号の漏れなどの原因によって高解像度のイメージに比べて歪曲されてしまう。それによって、ユーザは撮像されているイメージの正確なエッジを確認することができず、よって正確な焦点をあてることができなくなる。
【０００８】
図１は、従来技術による撮影装置の概略的な構成図である。
【０００９】
従来技術に係る撮影装置は、レンズ１０、固体撮影素子ＣＣＤ２０、ＨＤカメラプロセス部３０、ＨＤコーデック４０、メディアインタフェース部５０、メディア６０、フォーマット変換部７０、表示部８０を含んでいる。
【００１０】
まず、レンズ１０は撮像しようとする被写体のイメージを固体撮像素子２０に結像させ、被写体と固体撮像素子２０との間にレンズを微細移動することによりフォーカシングが行われる。
【００１１】
固体撮像素子２０は、入射される光量に比例した電圧を出力する光電変換素子であって、レンズを介して入射された光量に比例する電圧をＨＤカメラプロセス部３０に出力する。
【００１２】
ＨＤカメラプロセス部３０は、固体撮像素子２０から入力された電圧に応じて信号処理を行ってＨＤ信号を生成する。
【００１３】
ＨＤコーデック４０は、ＨＤカメラプロセス部３０で生成されたＨＤ信号がメディア６０に記録できるようＨＤ信号を圧縮し、それからメディア６０からＨＤ信号を再生することは圧縮されたＨＤ信号を復元する。
【００１４】
ＨＤメディアインタフェース部５０は、ＨＤコーデック４０で圧縮されたＨＤ信号をメディア６０に記録可能な形式に変換し、それからメディアに記録されたＨＤ信号を生成する場合は逆変換する。
【００１５】
メディア６０は、ＨＤメディアインタフェース部５０で変換されたＨＤ信号を記録する。フォーマット変換部７０はＨＤカメラプロセス部で生成されたＨＤ信号が入力され、入力されたＨＤ信号によるイメージを所定サイズの縮小イメージに変換する。例えば、ＨＤ信号によるイメージのサイズが「１４４０×１０８０ｉ」であれば、フォーマット変換部７０により生成された縮小イメージのサイズは「７２０×４８０ｉ」になる。
【００１６】
係る縮小過程を介して生成されたイメージは、ＨＤ信号によるイメージに比べて解像度は落ちる。フォーマット変換部７０は、生成された縮小イメージを表示部８０に出力する。
【００１７】
表示部８０は、ＳＤ  ＬＣＤモニタ８３および／またはＳＤビューファインダー８５を備え、前述したフォーマット変換部７０から入力された縮小イメージをディスプレーする。ユーザは表示部８０でディスプレーされた撮像イメージに対する縮小イメージを確認し、それを介して現在撮像されている状態を確認したり、フォーカシングする。
【００１８】
しかし、前述のようにユーザがマニュアルフォーカシングモードを選択してフォーカシングする場合、表示部８０にディスプレーされた縮小イメージの鮮明度が良好でないことから、ユーザが願望する正確なフォーカシングを期待し難い問題を抱えている。
【発明の開示】
【発明が解決しようとする課題】
【００１９】
本発明は前述した問題点を解決するために案出されたもので、本発明の目的は、フォーカシングを行う際にして、表示部に鮮明なイメージがディスプレーされるべく、撮像されたイメージのウィンドウキャプチャーによるマニュアルフォーカシング方法、マニュアルフォーカシング装置、および撮影装置を提供することにある。
【課題を解決するための手段】
【００２０】
前述した目的を達成するための本発明に係る撮像装置におけるマニュアルフォーカシング方法は、焦点を手動にするためのマニュアルフォーカシングモードが選択されたか否かを確認するステップと、前記マニュアルフォーカシングモードが選択されない場合、前記撮像装置により撮像されたイメージの所定サイズ部分と同一サイズの縮小イメージを生成し、前記縮小イメージを前記撮像装置が備える表示部にディスプレーするステップと、前記マニュアルフォーカシングモードが選択された場合、前記撮像されたイメージから前記表示部のディスプレーサイズに対応する所定サイズ部分のイメージであるウィンドウをキャプチャーし、前記キャプチャーイメージを出力するステップと、前記マニュアルフォーカシングモードが選択された場合、前記出力されたキャプチャーイメージを前記縮小イメージと切り替えて前記表示部にディスプレーするステップとを含み、前記マニュアルフォーカシングモードが選択されてから所定時間が経過すると、前記撮像されたイメージをウィンドウキャプチャーせず、前記撮像されたイメージに対する前記所定サイズ部分と同一サイズの縮小イメージを生成および出力してディスプレーするステップを含む。
【００２１】
好ましくは、前記マニュアルフォーカシングモードの選択は、前記撮影装置上のマニュアルフォーカスボタンの動作およびマニュアルフォーカスリングの動作のいずれかによって行われることを特徴とする。
【００２３】
また、前記キャプチャーイメージの前記撮像されたイメージ上での位置は任意に設定可能であることを特徴とする。
【００２４】
また、前記ディスプレーはビューファインダーおよびＬＣＤモニタのうちいずれかで行われることを特徴とする。
【００２６】
また、前記マニュアルフォーカシングモードが再選択される場合、前記撮像されたイメージをウィンドウキャプチャーして出力するステップを更に含む。
【００２７】
一方、本発明に係る撮像装置におけるマニュアルフォーカシング装置は、焦点を手動にするためのマニュアルフォーカシングモードが選択されたか否かを確認する制御部と、前記マニュアルフォーカシングモードが選択されない場合、前記撮像装置により撮像されたイメージの所定サイズ部分と同一サイズの縮小イメージを生成および出力するフォーマット変換部と、前記縮小イメージをディスプレーする表示部と、前記マニュアルフォーカシングモードが選択された場合、前記撮像されたイメージの所定サイズ部分のイメージであるウィンドウをキャプチャーし、前記キャプチャーイメージを出力するウィンドウキャプチャー部とを含み、前記表示部は、前記マニュアルフォーカシングモードが選択された場合、前記出力されたキャプチャーイメージを前記縮小イメージと切り替えてディスプレーし、前記所定サイズ部分は、前記表示部のディスプレーサイズに対応し、前記マニュアルフォーカシングモードが選択されてから所定時間が経過すると、前記撮像されたイメージに対する前記所定サイズ部分と同一サイズの縮小イメージを生成および出力する。
【００２８】
好ましくは、前記マニュアルフォーカシングモードの選択は、前記撮影装置上のマニュアルフォーカスボタンの動作およびマニュアルフォーカスリングの動作のいずれかによって行われることを特徴とする。
【００３０】
また、前記キャプチャーイメージの前記撮像されたイメージ上での位置は任意に設定可能であることを特徴とする。
【００３１】
また、前記表示部はビューファインダーおよびＬＣＤモニタのうちいずれかであることを特徴とする。
【００３３】
また、前記ウィンドウキャプチャー部は、前記マニュアルフォーカシングモードが再選択される場合、前記撮像されたイメージをウィンドウキャプチャーして出力することを特徴とする。
【００３４】
一方、本発明に係る撮影装置は、被写体のイメージを撮像し、焦点を当てて前期被写体の願望するイメージを保存する撮影装置であって、前記焦点を手動にするためのマニュアルフォーカシングモードが選択されたか否かを確認する制御部と、前記マニュアルフォーカシングモードが選択されない場合、前記撮像されたイメージに対する所定サイズ部分と同一サイズの縮小イメージを生成および出力するフォーマット変換部と、前記縮小イメージをディスプレーする表示部と、前記マニュアルフォーカシングモードが選択された場合、前記撮像されたイメージの所定サイズ部分のイメージであるウィンドウをキャプチャーし、前記キャプチャーイメージを出力するウィンドウキャプチャー部とを含み、前記表示部は、前記マニュアルフォーカシングモードが選択された場合、前記出力されたキャプチャーイメージを前記縮小イメージと切り替えてディスプレーし、前記所定サイズ部分は、前記表示部のディスプレーサイズに対応し、前記フォーマット変換部は、前記マニュアルフォーカシングモードが選択されてから所定時間が経過すると、前記撮像されたイメージに対する前記所定サイズ部分と同一サイズの縮小イメージを生成及び出力する。
【００３５】
好ましくは、前記マニュアルフォーカシングモードの選択は、前記撮影装置上のマニュアルフォーカスボタンの動作およびマニュアルフォーカスリングの動作のいずれかによって行われることを特徴とする。
【００３７】
また、前記キャプチャーイメージの前記撮像されたイメージ上での位置は任意に設定可能であることを特徴とする。
【００３８】
また、前記表示部はビューファインダーおよびＬＣＤモニタのうちいずれかであることを特徴とする。
【００４０】
また、前記ウィンドウキャプチャー部は、前記マニュアルフォーカシングモードが再選択される場合、前記撮像されたイメージをウィンドウキャプチャーして出力することを特徴とする。
【発明の効果】
【００４１】
本発明によると、撮像されたイメージをウィンドウキャプチャーしたイメージがディスプレーされることによって、マニュアルフォーカシング過程においてユーザは高解像度の鮮明に撮像されたイメージを確認することができ、これを介して精密なマニュアルフォーカシングが行われる。
【発明を実施するための最良の形態】
【００４２】
以下、添付の図面に基づいて本発明の好適な実施形態を詳述する。
【実施例】
【００４３】
図２は本発明に係る撮像装置におけるマニュアルフォーカシング方法が適用された撮影装置の概略的な構成図である。
【００４４】
本発明に係る撮影装置でのマニュアルフォーカシング方法が適用される撮影装置は、レンズ１１０、固体撮像素子（ＣＣＤ）１２０、ＨＤカメラプロセス部１３０、ＨＤコーデック１４０、ＨＤメディアインタフェース部１５０、メディア１６０、フォーマット変換部１７０、表示部１８０、ウィンドウキャプチャー部１９０、およびスイッチング部１９５を含んでなる。
【００４５】
まず、レンズ１１０は、撮像したい被写体のイメージを固体撮像素子１２０に結像させて、被写体と固体撮像素子１２０との間におけるレンズの微細移動に応じてフォーカシングが行われる。
【００４６】
固体撮像素子１２０は、入射される光量に比例した電圧を出力する光電変換素子であって、レンズを介して入射された光量に比例する電圧をＨＤカメラプロセス部１３０に出力する。
【００４７】
ＨＤカメラプロセス部１３０は、固体撮像素子１２０から入力された電圧に応じて信号処理を行ってＨＤ信号を生成する。
【００４８】
ＨＤコーデック１４０は、ＨＤカメラプロセス部１３０で生成されたＨＤ信号がメディア１６０に記録できるようＨＤ信号を圧縮し、その後メディア１６０からＨＤ信号を再生する時には圧縮されたＨＤ信号を復元する。
【００４９】
ＨＤメディアインタフェース部１５０は、ＨＤコーデック１４０で圧縮されたＨＤ信号をメディア１６０に記録可能な形式の方にに変換し、メディアに記録されたＨＤ信号を再生する場合は逆変換する。
【００５０】
メディア１６０は、ＨＤメディアインタフェース部１５０で変換されたＨＤ信号を記録する。
【００５１】
フォーマット変換部１７０は、ＨＤカメラプロセス部で生成されたＨＤ信号が入力され、入力されたＨＤ信号によるイメージを所定サイズの縮小イメージに変換する。例えば、ＨＤ信号によるイメージのサイズが「１４４０×１０８０ｉ」であれば、フォーマット変換部１７０により生成された縮小イメージのサイズは「７２０×４８０ｉ」になる。
【００５２】
係る縮小過程を介して生成されたイメージは、ＨＤ信号によるイメージに比べてその解像度は落ちる。フォーマット変換部１７０は、生成された縮小イメージを表示部１８０に出力する。
【００５３】
表示部１８０は、ＳＤ  ＬＣＤモニタ１８３及び／またはＳＤビューファインダー１８５を備え、前述したフォーマット変換部１７０から入力された縮小イメージをディスプレーする。ユーザは表示部１８０でディスプレーされた撮像されたイメージに対する縮小イメージを確認し、それを介して現在撮像されている状態を確認したりフォーカシングする。
【００５４】
ウィンドウキャプチャー部１９０は、ユーザが撮影装置上のマニュアルフォーカスボタンを押したり、マニュアルフォーカスリングを動作させる場合、制御部（図示せず）からマニュアルフォーカシングモードの選択を知らせる信号の入力を受ける。
【００５５】
ウィンドウキャプチャー部１９０は、制御部（図示せず）からの信号を入力された場合、ＨＤカメラプロセス部１３０からのＨＤ信号によるＨＤイメージをウィンドウキャプチャーして表示部１８０に出力する。
【００５６】
なお、ウィンドウは撮像されたイメージの所定サイズの部分イメージに該当し、ウィンドウの撮像されたイメージ上における位置は、本発明による撮影装置の動作環境に応じて、製品の製造ステップにおいて予め設定することもできる。それと共に、ユーザの任意設定により変更されることは言うまでもない。
【００５７】
スイッチング部１９５は、前述した制御部（図示せず）からのマニュアルフォーカシングモードの選択を知らせる信号によってウィンドウキャプチャー部１９０がＨＤカメラプロセス部１３０からのＨＤ信号によるＨＤイメージをウィンドウキャプチャーして表示部１８０に出力できるようスイッチング動作を行う。
【００５８】
図３は、本発明に係るウィンドウキャプチャー部で生成されたイメージとフォーマット変換部で生成されたイメージとを比較した図面である。
【００５９】
図２および図３に示すように、本発明に係る撮影装置にけるマニュアルフォーカシング方法の原理を説明すると、まず、ユーザは本発明に係る撮影装置に電源を入力し、希望する被写体の撮像を開始する。
【００６０】
被写体の撮像を行うとき、通常、フォーカシング動作が行われるが、ユーザがマニュアルフォーカシングモードを選択しない場合であれば、固体撮像素子１２０はレンズ１１０を透過して入射された光量に比例した電圧をＨＤカメラプロセス部１３０に出力する。
【００６１】
ＨＤカメラプロセス部１３０は、固体撮像素子１２０から入力された電圧に応じて信号処理を行ってＨＤ信号を生成し、フォーマット変換部１７０はＨＤカメラプロセス部１３０で生成されたＨＤ信号の入力を受ける。
【００６２】
フォーマット変換部１７０は、入力されたＨＤ信号によるイメージ２００を所定サイズの縮小イメージ２６０に変換し、フォーマット変換部１７０は生成された縮小イメージ２６０を表示部１８０に出力する。
【００６３】
表示部１８０上のＳＤ  ＬＣＤモニタ１８３またはＳＤビューファインダー１８５は、フォーマット変換部１７０から入力された縮小イメージ２６０をディスプレーする。なお、ディスプレーされるイメージ２６０はＨＤ信号によるイメージに比べて解像度が低下する。
【００６４】
以下、ユーザがマニュアルフォーカシングモードを選択する場合における本発明にかかる撮影装置でのマニュアルフォーカシング方法の具現過程について詳説する。
【００６５】
ユーザが撮影装置上に備えられたマニュアルフォーカスボタンの動作や、撮影装置上に備えられたマニュアルフォーカスリングを回転させる動作などを介してマニュアルフォーカシングモードを選択する場合、制御部（図示せず）はマニュアルフォーカシングモードの選択を知らせる信号をウィンドウキャプチャー部１９０に入力する。
【００６６】
また、制御部（図示せず）はウィンドウキャプチャー部１９０の動作およびウィンドウキャプチャー部１９０で生成されたイメージ２３０が表示部１８０から出力可能になるよう、スイッチング部１９５の動作を制御する。
【００６７】
この場合、ウィンドウキャプチャー部１９０は、ＨＤカメラプロセス部１３０からのＨＤ信号によるＨＤイメージ２００上の任意設定されたウィンドウをキャプチャーしてキャプチャーイメージ２３０を生成する。なお、ウィンドウはＨＤイメージ２００上の所定サイズの部分イメージであって、キャプチャーイメージ２３０は、ＨＤカメラプロセス部１３０からのＨＤ信号によるＨＤイメージ２００上の所定サイズの部分イメージ２３０に該当する。
【００６８】
例えば、ＨＤ信号によるイメージ２００サイズが「１４４０×１０８０ｉ」であれば、ウィンドウキャプチャー部１９０で生成されたイメージ２３０のサイズは「７２０×４８０ｉ」になる。
【００６９】
ここで、ウィンドウキャプチャー部１９０で生成されたイメージ２３０のサイズは本発明による撮影装置の動作環境に応じて製品の製造ステップにて予め設定されることもでき、ユーザの任意設定によっても変更可能であろう。
【００７０】
ウィンドウキャプチャー部１９０で生成されたイメージ２３０のサイズが「７２０×４８０ｉ」であって、フォーマット変換部２６０で生成された縮小イメージ２６０と同一サイズであっても、ＨＤ信号によるイメージ２００の一部分のみをそのままキャプチャーしたイメージであって、表示部１８０でディスプレーされた時の解像度はＨＤ信号によるイメージ２００と同一になる。
【００７１】
ユーザは高解像の撮像イメージを表示部１８０で鮮明に確認でき、それを介して正確なマニュアルフォーカシング作業が可能となる。
【００７２】
一方、制御部（図示せず）は前記マニュアルフォーカシングモードが選択された後所定時間が経過すると、それ以上のマニュアルフォーカシング動作が不要であることを認識し、ウィンドウキャプチャー部１９０での動作を中止する。なお、所定時間は、本発明による撮影装置の動作環境によって、製品の製造ステップにて予め設定することができ、ユーザの任意設定によっても変更可能である。
【００７３】
即ち、ユーザが撮影装置上に備えられたマニュアルフォーカスボタンの動作や撮影装置上に備えられたマニュアルフォーカスリングを回転させる動作を介してマニュアルフォーカシングモードを選択した以降、予め設定された所定時間の間にマニュアルフォーカスボタンの動作やマニュアルフォーカスリングを回転させる動作がない場合、制御部（図示せず）はそれ以上のマニュアルフォーカシング動作が不要であると認識する。
【００７４】
この場合に制御部（図示せず）は、ウィンドウキャプチャー部１９０の動作を中止し、ウィンドウキャプチャー部１９０の動作およびウィンドウキャプチャー部１９０で生成されたイメージ２３０が表示部１８０から出力できないよう、スイッチング部１９５の動作を制御する。
【００７５】
これによって、フォーマット変換部１７０はＨＤカメラプロセス部１３０から入力されたＨＤ信号によるイメージ２００を所定サイズの縮小イメージ２６０に変換し、生成された縮小イメージ２６０を表示部１８０に出力し、表示部１８０上のＳＤ  ＬＣＤモニタ１８３またはＳＤビューファインダー１８５はフォーマット変換部１７０から入力された縮小イメージ２６０をディスプレーする。
【００７６】
しかし、それ以降にユーザが撮影装置上に備えられたマニュアルフォーカスボタンを再度動作したり、撮影装置上に備えられたマニュアルフォーカスリングを再度回転することによって、マニュアルフォーカシングモードが再選択される場合、制御部（図示せず）はウィンドウキャプチャー部１９０の動作を再開し、ウィンドウキャプチャー部１９０の動作およびウィンドウキャプチャー部１９０で生成されたイメージ２３０が表示部１８０から出力できるよう、スイッチング部１９５の動作を制御する。
【００７７】
なお、再度ウィンドウキャプチャー部１９０で生成されたキャプチャーされたイメージ２３０は表示部１８０にディスプレーされる。
【００７８】
以上、図面に基づいて本発明の好適な実施形態を図示および説明してきたが本発明の保護範囲は、前述の実施形態に限定するものではなく、特許請求の範囲に記載された発明とその均等物にまで及ぶものである。
【図面の簡単な説明】
【００７９】
【図１】従来技術による撮影装置の概略的な構成図である。
【図２】本発明に係る撮影装置におけるマニュアルフォーカシング方法が適用される撮影装置の概略的な構成図である。
【図３】本発明に係るウィンドウキャプチャー部で生成されたイメージとフォーマット変換部で生成されたイメージとを比較した図である。
【符号の説明】
【００８０】
１０        レンズ
２０        ＣＣＤ
３０        ＨＤカメラプロセス部
４０        ＨＤコーデック
５０        ＨＤメディアインタフェース部
６０        メディア
７０        フォーマット変換部
８３        ＳＤ  ＬＣＤモニタ
８５        ＳＤビューファインダー
１１０      レンズ
１２０      ＣＣＤ
１３０      ＨＤカメラプロセス部
１４０      ＨＤコーデック
１５０      ＨＤメディアインタフェース部
１６０      メディア
１７０      フォーマット変換部
１９０      ウィンドウキャプチャー部
１８３      ＳＤ  ＬＣＤモニタ
１８５      ＳＤビューファインダー
【図１】
0004401361.tif 000002
【図２】
0004401361.tif 000003
【図３】
0004401361.tif 000004